(57)【要約】【課題】必要最小限に選定された部分放電信号波形によって部分放電の位置標定を的確に行う。【解決手段】部分放電信号波形を検出する少なくとも３個の検出器９，１０，１１，１２を備え、検出器９，１０，１１，１２の出力信号波形に応じて前記部分放電の発生位置を標定するものにおいて、前記少なくとも３個の検出器９，１０，１１，１２のうち前記部分放電の発生個所７に近い２個の検出器１０，１１の出力信号波形を選択的に導出する信号切替器１４を設け、信号切替器１４により導出された２個の検出器１０，１１の出力信号波形を用いて部分放電の発生位置を標定するようにした。【選択図】　　　　図１
2004053486.tif 000002
【特許請求の範囲】
【請求項１】
課電部における部分放電信号波形を検出する少なくとも３個の検出器を備え、前記検出器の出力信号波形に応じて前記部分放電の発生位置を標定するものにおいて、前記部分放電の発生個所に応じて前記少なくとも３個の検出器のうち当該部分放電の発生位置標定に用いる検出器の出力信号波形を選択的に導出する選択手段を設け、前記選択手段により導出された検出器の出力信号波形を用いて前記部分放電の発生位置を標定することを特徴とする部分放電検出装置。
【請求項２】
筒状容器と、前記筒状容器に収容され筒状容器の軸方向に延在する課電部を有する機器要素と、課電部における部分放電信号波形を検出する少なくとも３個の検出器とを備え、前記検出器の出力信号波形に応じて前記部分放電の発生位置を標定するものにおいて、前記少なくとも３個の検出器のうち前記部分放電の発生個所に近い２個の検出器の出力信号波形を選択的に導出する選択手段を設け、前記選択手段により導出された２個の検出器の出力信号波形を用いて前記部分放電の発生位置を標定することを特徴とする部分放電検出装置。
【請求項３】
課電部における部分放電信号波形を検出する少なくとも３個の検出器を備え、前記検出器の出力信号波形に応じて前記部分放電の発生位置を標定するものにおいて、前記部分放電の発生により前記検出器に生成される部分放電パルス数に応じて前記少なくとも３個の検出器のうち当該部分放電の発生位置標定に用いる検出器の出力信号波形を選択的に導出する選択手段を設け、前記選択手段により導出された検出器の出力信号波形を用いて前記部分放電の発生位置を標定することを特徴とする部分放電検出装置。
【請求項４】
筒状容器と、前記筒状容器に収容され筒状容器の軸方向に延在する課電部を有する機器要素と、課電部における部分放電信号波形を検出する少なくとも３個の検出器とを備え、前記検出器の出力信号波形に応じて前記部分放電の発生位置を標定するものにおいて、前記少なくとも３個の検出器のうち前記部分放電の発生個所に近い２個の検出器の出力信号波形を前記部分放電の発生により前記検出器に生成される部分放電パルス数に応じて選択的に導出する選択手段を設け、前記選択手段により導出された２個の検出器の出力信号波形を用いて前記部分放電の発生位置を標定することを特徴とする部分放電検出装置。
【請求項５】
絶縁ガスを充填し絶縁スペーサによって仕切られた筒状容器と、前記筒状容器に収容され筒状容器の軸方向に延在する課電部を有する機器要素と、前記絶縁スペーサの近傍に設けられ前記課電部における部分放電信号波形を検出する少なくとも３個の検出器とを備え、前記検出器の出力信号波形に応じて絶縁ガスを充填し絶縁スペーサによって仕切られた筒状容器に収容され前記筒状容器の軸方向に延在する機器要素を備えた電気機器における部分放電の発生位置を標定するものにおいて、前記少なくとも３個の検出器のうち前記部分放電の発生個所に近い２個の検出器の出力信号を前記部分放電の発生により前記検出器に生成される部分放電パルス数に応じて選択的に導出する選択手段を設け、前記選択手段により導出された２個の検出器の出力信号波形を用いて前記部分放電の発生位置を標定することを特徴とする部分放電検出装置。
【請求項６】
課電部における部分放電信号波形を少なくとも３個所の検出点において検出し、検出された部分放電信号波形に応じて前記部分放電の発生位置を標定するにあたり、前記部分放電の発生個所に応じて前記少なくとも３個所の検出点のうち当該部分放電の検出に用いる検出点における部分放電信号波形を選択的に導出し、導出された部分放電信号波形を用いて前記部分放電の発生位置を標定することを特徴とする部分放電検出方法。
【請求項７】
筒状容器と、前記筒状容器に収容され筒状容器の軸方向に延在する課電部を有する機器要素とを備えた電気機器について、前記課電部における部分放電信号波形を少なくとも３個所の検出点において検出し、検出された部分放電信号波形に応じて、部分放電の発生位置を標定するにあたり、前記少なくとも３個所の検出点のうち前記部分放電の発生個所に近い２個所の検出点における部分放電信号波形を選択的に導出し、導出された２個所における部分放電信号波形を用いて前記部分放電の発生位置を標定することを特徴とする部分放電検出方法。
【請求項８】
課電部における部分放電信号波形を検出する少なくとも３個所の検出点における部分放電信号波形に応じて前記部分放電の発生位置を標定するにあたり、前記部分放電の発生により前記検出点に生成される部分放電パルス数に応じて前記少なくとも３個所の検出点のうち当該部分放電の検出に用いる検出点の部分放電信号波形を選択的に導出し、導出された部分放電信号波形を用いて前記部分放電の発生位置を標定することを特徴とする部分放電検出方法。
【請求項９】
筒状容器と、前記筒状容器に収容され筒状容器の軸方向に延在する課電部を有する機器要素とを備えた電気機器について、前記課電部における部分放電信号波形を検出する少なくとも３個所の検出点における部分放電信号波形に応じて前記部分放電の発生位置を標定するにあたり、前記少なくとも３個所の検出点のうち前記部分放電の発生個所に近い２個所の検出点における部分放電信号波形を前記部分放電の発生により前記検出点に生成される部分放電パルス数に応じて選択的に導出し、導出された２個所の検出点における部分放電信号波形を用いて前記部分放電の発生位置を標定することを特徴とする部分放電検出方法。
【請求項１０】
絶縁ガスを充填し絶縁スペーサによって仕切られた筒状容器と、前記筒状容器に収容され筒状容器の軸方向に延在する課電部を有する機器要素とを備えた電気機器について、前記絶縁スペーサの近傍に設定され前記課電部における部分放電信号波形を検出する少なくとも３個の検出点における部分放電信号波形に応じて前記部分放電の発生位置を標定するにあたり、前記少なくとも３個所の検出点のうち前記部分放電の発生個所に近い２個所の検出点における部分放電信号波形を前記部分放電の発生により前記検出点に生成される部分放電パルス数に応じて選択的に導出し、導出された２個所の検出点における部分放電信号波形を用いて前記部分放電の発生位置を標定することを特徴とする部分放電検出方法。
【発明の詳細な説明】
【０００１】
【発明の属する技術分野】
この発明は、部分放電検出装置および部分放電検出方法、特に、ガス絶縁容器内部に発生する部分放電の位置を標定する部分放電検出装置および部分放電検出方法に関するものである。
【０００２】
【従来の技術】
従来技術の一例として、特開平６−１１８１１９号公報「部分放電検出装置」に開示された、部分放電の発生位置を標定する部分放電検出装置を図５について説明する。
図において、１はガス絶縁開閉装置の外被を構成するガス絶縁容器、２はガス絶縁容器１により構成されるガス絶縁開閉装置の外被内部を貫通する導体、３，４，５，６はガス絶縁容器１により構成されたガス絶縁開閉装置における外被内部のガス充填空間を仕切る絶縁スペーサである。
７はガス絶縁容器１により構成されたガス絶縁開閉装置の外被内部で発生し得る部分放電個所で、例えば中心導体２上の金属突起などで発生する。
８ａおよび８ｂは部分放電により励起される電磁波信号、９，１０，１１，１２は電磁波信号８ａおよび８ｂを検出するための検出器、９ａ，１０ａ，１１ａ，１２ａは検出器９，１０，１１，１２の検出した信号を伝送するための長さ寸法が同一の同軸ケーブル、２２，２３は、検出器９，１０，１１，１２で検出された出力信号を同軸ケーブル９ａ，１０ａ，１１ａ，１２ａを介して受信し、部分放電信号波形として集録する波形集録装置である。
２４は検出器９，１０，１１，１２で検出された出力信号を信号線９ａ，１０ａ，１１ａ，１２ａを介して受信し、後述する位置標定装置２５により予め設定されたトリガレベルを超えたとき、信号線２６，２７を介し波形集録装置２２，２３にて波形を集録するよう信号を送るトリガリングユニット、２５は、上記トリガリングユニットからの信号を信号線３０を介して受信したとき、信号線２８，２９を介して、波形集録装置２２，２３に保存された部分放電信号波形を取込み、後述する算出式により、検出器から部分放電発生源までの距離を算出する位置標定装置である。
【０００３】
図中では部分放電の検出手段として、絶縁スペーサからガス絶縁開閉装置の外部に漏れ出る電磁波を検出する検出器を一例として示しているが、これは電磁波を検出する検出器であれば、たとえばガス絶縁開閉装置内部に設置するディスク型の電極であっても、同様に実現可能である。
【０００４】
次に、従来の技術の原理について説明する。
ガス絶縁容器１により構成されるガス絶縁開閉装置の外被内部で部分放電個所７が発生した場合、部分放電により励起された電磁波信号８ａ，８ｂがガス絶縁開閉装置の外被内部を導体２にそって伝搬する。この電磁波信号の伝搬速度はガス絶縁開閉装置の外被内部ではほぼ光速に等しい。
この電磁波信号８ａ，８ｂは、検出器９，１０，１１，１２によって検出され、信号線９ａ，１０ａ，１１ａ，１２ａを介して波形集録装置２２，２３によって部分放電信号波形として集録される。
トリガリングユニット２４では、予め設定されたトリガレベル（部分放電信号検出範囲内で自由に設定可）を超える検出値が検出されると、信号線２６，２７を介して波形集録信号を送信し、波形集録装置２２，２３は部分放電信号波形を保存する。
次に、トリガリングユニット２４は信号線３０を介して波形集録信号を送信し、位置標定装置２５は信号線２８，２９を介して、波形集録装置２２，２３で保存された信号を取り込む。
位置標定装置２５が取り込む信号波形を図６に示す。
【０００５】
検出器９，１０，１１，１２によって検出される部分放電信号波形をそれぞれ９ｂ，１０ｂ，１１ｂ，１２ｂとすると、部分放電が図５の位置で発生している場合、横軸を時間軸とすると１０ｂ→１１ｂ→９ｂ→１２ｂの順番で信号が検出される。
また、部分放電信号は伝搬距離が長いほど、その振幅が減衰するので、検出器で検出された電磁波信号の振幅は、１０ｂ＞１１ｂ＞９ｂ＞１２ｂの順で大きくなる。
これらの部分放電信号波形９ｂ，１０ｂ，１１ｂ，１２ｂのうち、部分放電発生源からの距離が近い１０ｂと１１ｂの到達時間差をΔＴとする。
【０００６】
図７は、検出器１０，１１と部分放電７の関係を模式的に示した図であり、部分放電７が検出器１０より距離Ｄだけ離れた地点で発生したとする。
位置標定装置２５への信号の到達時間差ΔＴより、検出器１０から部分放電７への距離Ｄは次の計算で求めることができる。
【０００７】
【数１】
2004053486.tif 000003
【０００８】
上式（１）において、ＶＰＤはガス絶縁開閉装置内部の電磁波の伝搬速度である。
以上の原理により、従来の技術では、ガス絶縁開閉装置内部で発生する部分放電の発生位置を標定していた。
【０００９】
【発明が解決しようとする課題】
従来の技術は以上のように構成されているので、ガス絶縁開閉装置内部での部分放電の発生位置を標定するには、部分放電信号波形を同時に取得する必要があるため、検出器の個数分と同じ個数の波形集録装置のチャンネル数が必要であった。
部分放電信号の伝搬速度ＶＰＤは光の速度３×１０８　［ｍ／秒］に近く、伝搬時間差ΔＴは１０−９［秒］オーダの微少な時間であるため、オシロスコープやスペクトルアナライザなどの高性能な機器により測定する必要があるが、１台のオシロスコープやスペクトルアナライザのチャンネル数は実際には多くて４チャンネルである。
図５で示した例のように、検出器が４個であれば余り問題ないが、実際にはガス絶縁機器に検出器が１００個以上設置される場合があり、その場合、検出器と同数の波形集録装置のチャンネル数を用意する必要があるため、複数の波形集録装置を同時に制御する必要があることから、制御が複雑になり測定に時間がかかるという問題点があった。
【００１０】
この発明は、上記の問題点を解決するためになされたもので、必要限度に選定された部分放電信号波形によって部分放電の位置標定を的確に行える部分放電検出装置および部分放電検出方法を得ることを目的とする。
【００１１】
【課題を解決するための手段】
第１の発明に係る部分放電検出装置では、課電部における部分放電信号波形を検出する少なくとも３個の検出器を備え、前記検出器の出力信号波形に応じて前記部分放電の発生位置を標定するものにおいて、前記部分放電の発生個所に応じて前記少なくとも３個の検出器のうち当該部分放電の発生位置標定に用いる検出器の出力信号波形を選択的に導出する選択手段を設け、前記選択手段により導出された検出器の出力信号波形を用いて前記部分放電の発生位置を標定するものである。
【００１２】
第２の発明に係る部分放電検出装置では、筒状容器と、前記筒状容器に収容され筒状容器の軸方向に延在する課電部を有する機器要素と、課電部における部分放電信号波形を検出する少なくとも３個の検出器とを備え、前記検出器の出力信号波形に応じて前記部分放電の発生位置を標定するものにおいて、前記少なくとも３個の検出器のうち前記部分放電の発生個所に近い２個の検出器の出力信号波形を選択的に導出する選択手段を設け、前記選択手段により導出された２個の検出器の出力信号波形を用いて前記部分放電の発生位置を標定するものである。
【００１３】
第３の発明に係る部分放電検出装置では、課電部における部分放電信号波形を検出する少なくとも３個の検出器を備え、前記検出器の出力信号波形に応じて前記部分放電の発生位置を標定するものにおいて、前記部分放電の発生により前記検出器に生成される部分放電パルス数に応じて前記少なくとも３個の検出器のうち当該部分放電の発生位置標定に用いる検出器の出力信号波形を選択的に導出する選択手段を設け、前記選択手段により導出された検出器の出力信号波形を用いて前記部分放電の発生位置を標定するものである。
【００１４】
第４の発明に係る部分放電検出装置では、筒状容器と、前記筒状容器に収容され筒状容器の軸方向に延在する課電部を有する機器要素と、課電部における部分放電信号波形を検出する少なくとも３個の検出器とを備え、前記検出器の出力信号波形に応じて前記部分放電の発生位置を標定するものにおいて、前記少なくとも３個の検出器のうち前記部分放電の発生個所に近い２個の検出器の出力信号波形を前記部分放電の発生により前記検出器に生成される部分放電パルス数に応じて選択的に導出する選択手段を設け、前記選択手段により導出された２個の検出器の出力信号波形を用いて前記部分放電の発生位置を標定するものである。
【００１５】
第５の発明に係る部分放電検出装置では、絶縁ガスを充填し絶縁スペーサによって仕切られた筒状容器と、前記筒状容器に収容され筒状容器の軸方向に延在する課電部を有する機器要素と、前記絶縁スペーサの近傍に設けられ前記課電部における部分放電信号波形を検出する少なくとも３個の検出器とを備え、前記検出器の出力信号波形に応じて絶縁ガスを充填し絶縁スペーサによって仕切られた筒状容器に収容され前記筒状容器の軸方向に延在する機器要素を備えた電気機器における部分放電の発生位置を標定するものにおいて、前記少なくとも３個の検出器のうち前記部分放電の発生個所に近い２個の検出器の出力信号を前記部分放電の発生により前記検出器に生成される部分放電パルス数に応じて選択的に導出する選択手段を設け、前記選択手段により導出された２個の検出器の出力信号波形を用いて前記部分放電の発生位置を標定するものである。
【００１６】
第６の発明に係る部分放電検出方法では、課電部における部分放電信号波形を少なくとも３個所の検出点において検出し、検出された部分放電信号波形に応じて前記部分放電の発生位置を標定するにあたり、前記部分放電の発生個所に応じて前記少なくとも３個所の検出点のうち当該部分放電の検出に用いる検出点における部分放電信号波形を選択的に導出し、導出された部分放電信号波形を用いて前記部分放電の発生位置を標定するものである。
【００１７】
第７の発明に係る部分放電検出方法では、筒状容器と、前記筒状容器に収容され筒状容器の軸方向に延在する課電部を有する機器要素とを備えた電気機器について、前記課電部における部分放電信号波形を少なくとも３個所の検出点において検出し、検出された部分放電信号波形に応じて、部分放電の発生位置を標定するにあたり、前記少なくとも３個所の検出点のうち前記部分放電の発生個所に近い２個所の検出点における部分放電信号波形を選択的に導出し、導出された２個所における部分放電信号波形を用いて前記部分放電の発生位置を標定するものである。
【００１８】
第８の発明に係る部分放電検出方法では、課電部における部分放電信号波形を検出する少なくとも３個所の検出点における部分放電信号波形に応じて前記部分放電の発生位置を標定するにあたり、前記部分放電の発生により前記検出点に生成される部分放電パルス数に応じて前記少なくとも３個所の検出点のうち当該部分放電の検出に用いる検出点の部分放電信号波形を選択的に導出し、導出された部分放電信号波形を用いて前記部分放電の発生位置を標定するものである。
【００１９】
第９の発明に係る部分放電検出方法では、筒状容器と、前記筒状容器に収容され筒状容器の軸方向に延在する課電部を有する機器要素とを備えた電気機器について、前記課電部における部分放電信号波形を検出する少なくとも３個所の検出点における部分放電信号波形に応じて前記部分放電の発生位置を標定するにあたり、前記少なくとも３個所の検出点のうち前記部分放電の発生個所に近い２個所の検出点における部分放電信号波形を前記部分放電の発生により前記検出点に生成される部分放電パルス数に応じて選択的に導出し、導出された２個所の検出点における部分放電信号波形を用いて前記部分放電の発生位置を標定するものである。
【００２０】
第１０の発明に係る部分放電検出方法では、絶縁ガスを充填し絶縁スペーサによって仕切られた筒状容器と、前記筒状容器に収容され筒状容器の軸方向に延在する課電部を有する機器要素とを備えた電気機器について、前記絶縁スペーサの近傍に設定され前記課電部における部分放電信号波形を検出する少なくとも３個の検出点における部分放電信号波形に応じて前記部分放電の発生位置を標定するにあたり、前記少なくとも３個所の検出点のうち前記部分放電の発生個所に近い２個所の検出点における部分放電信号波形を前記部分放電の発生により前記検出点に生成される部分放電パルス数に応じて選択的に導出し、導出された２個所の検出点における部分放電信号波形を用いて前記部分放電の発生位置を標定するものである。
【００２１】
【発明の実施の形態】
実施の形態１．
この発明による実施の形態１を図１ないし図４について説明する。図１は実施の形態１における部分放電検出装置の構成を示すブロック図である。図２は実施の形態１におけるパルスカウント値の実例を示す波形図である。図３は実施の形態１における部分放電信号波形の例を示す波形図である。図４は実施の形態１における位置標定動作を示す概念図である。
【００２２】
図１において、１はガス絶縁開閉装置の外被を構成する筒状のガス絶縁容器、２はガス絶縁容器１により構成されるガス絶縁開閉装置の外被内部を貫通する中心導体、３，４，５，６はガス絶縁容器１により構成されるガス絶縁開閉装置の外被内部におけるガス充填空間を仕切る絶縁スペーサである。
所定の電圧が印加される課電部を構成する中心導体２は、それ自体でガス絶縁開閉装置の機器要素を構成するとともに、中心導体２と同様にガス絶縁容器１により構成されるガス絶縁開閉装置の外被内部に収容されガス絶縁開閉装置における他の機器要素を構成するガス遮断器やガス絶縁開閉器（図示せず）などに電気的に接続されているものである。
７はガス絶縁容器１により構成されたガス絶縁開閉装置の外被内部で発生し得る部分放電個所で、例えば中心導体２上の金属突起などで発生する。
８ａ，８ｂは部分放電により励起される電磁波信号、９，１０，１１，１２は電磁波信号８ａ，８ｂを検出するために絶縁スペーサ３，４，５，６近傍の検出点にそれぞれ設けられた検出器、９ａ，１０ａ，１１ａ，１２ａは検出器９，１０，１１，１２の検出した信号９ｂ，１０ｂ，１１ｂ，１２ｂを伝送するための長さ寸法が同一の同軸ケーブル、１３は、検出器９，１０，１１，１２で検出された検出信号を同軸ケーブル９ａ，１０ａ，１１ａ，１２ａを介して受信し、後述する位置標定装置１６により予め設定された検出レベルを超えた信号をカウントするパルスカウント器である。
１４は、パルスカウント器１３からのチャンネル切替信号１８により、複数の同軸ケーブル９ａ，１０ａ，１１ａ，１２ａのうち２つの信号を同軸ケーブル１９ａ，１９ｂへ接続する信号切替器、１５は、パルスカウント器１３からのトリガ信号２０により、同軸ケーブル１９ａ，１９ｂを介して受信した信号を部分放電信号波形として集録する波形集録装置である。
１６は、上記パルスカウント器１３からの信号を信号線１７を介して受信したとき、信号線２１を介して、波形集録装置１５に保存された部分放電信号波形を取込み、後述する算出式により、検出器から部分放電発生源までの距離を算出する位置標定装置である。
【００２３】
図中では部分放電の検出手段として、絶縁スペーサからガス絶縁開閉装置の外部に漏れ出る電磁波を検出する検出器を一例として示しているが、これは電磁波を検出する検出器であれば、たとえばガス絶縁開閉装置内部に設置するディスク型の電極であっても、同様に実現可能である。
【００２４】
このように構成された部分放電検出装置における動作について説明するにあたり、まず、ガス絶縁装置内部における部分放電の電磁波信号の減衰について説明する。
部分放電の電磁波信号は、ガス絶縁開閉装置の外被を同軸導波管としてタンク内を伝搬するが、途中にガス絶縁開閉装置のスペーサ，Ｌ字コーナー，タンク径の変化などインピーダンスが変化する箇所において、信号の反射や外部への放射が起こることによりその振幅の大きさが減衰する。
【００２５】
図２は、ガス絶縁開閉装置内で、実際に部分放電が起った時のデータを示したものであり、横軸は時間、縦軸は部分放電パルスカウント値（ある検出レベルを超えた部分放電信号の数）であり、検出器Ｓ０１，Ｓ０２，Ｓ０３（図示せず）のパルスカウント値を示している。
部分放電の発生位置から検出器Ｓ０１，Ｓ０２，Ｓ０３までの距離はＳ０１＜Ｓ０２＜Ｓ０３であり、例えば部分放電が発生している時間Ｔの間のパルスカウント値を比較すると、Ｓ０１＞Ｓ０２＞Ｓ０３であることが分かる。
従って、このデータより、部分放電の発生位置に近い検出器ほどパルスカウント値が大きく、逆に遠いほど電磁波信号の減衰によりパルスカウント値が小さくなることが分かる。
【００２６】
以上のことを踏まえて、図１にもどり、この発明による実施の形態における動作について述べる。
ガス絶縁容器１で構成されたガス絶縁開閉装置の外被内部で部分放電個所７が発生した場合、部分放電により励起された電磁波信号８ａ，８ｂがガス絶縁容器１で構成されたガス絶縁開閉装置の外被内部を導体２にそって伝搬する。この電磁波信号の伝搬速度はガス絶縁開閉装置の外被内部ではほぼ光速に等しい。
この電磁波信号８ａ，８ｂは、検出器９，１０，１１，１２によって検出され、電磁波信号は同軸ケーブル９ａ，１０ａ，１１ａ，１２ａを介して、パルスカウント器１３に取り込まれる。
パルスカウント器１３では、予め設定されたトリガレベル（部分放電信号検出範囲内で自由に設定可）を超える電磁波信号が検出されると、トリガレベルを超える電磁波信号の個数をパルスカウント値としてカウントする。前述したとおり部分放電の発生位置に近い検出器ほどパルスカウント値が大きく、パルスカウント値は、１０ｂ＞１１ｂ＞９ｂ＞１２ｂの順で大きくなる。
パルスカウント器１３はパルスカウント値が大きい方から検出器を２つ選択し（この場合、検出器１０，１１）、この情報をチャンネル切替信号１８として信号切替器１４に送信する。
信号切替器１４は、チャンネル切替信号１８として選択された検出器１０，１１に接続されている同軸ケーブル１０ａ，１１ａを同軸ケーブル１９ａ，１９ｂに接続する。
【００２７】
次に、波形集録装置１５は、トリガ信号２０を受信すると同軸ケーブル１９ａ，１９ｂを介して受信した信号、つまり図１の例の場合では信号１０ｂ，１１ｂを部分放電信号波形として集録する。
そして、パルスカウント器１３は、信号線１７を介して波形集録信号を送信し、位置標定装置１６は信号線２１を介して、波形集録装置１５で保存された図３のような部分放電信号波形を取り込み、波形立上り位置の到達時間差をΔＴとする。
【００２８】
図４は検出器１０，１１と部分放電７の関係を模式的に示した図であり、部分放電７が検出器１０より距離Ｄだけ離れた地点で発生したとする。
位置標定装置１６への信号の到達時間差ΔＴより、検出器１０から部分放電７への距離Ｄは次の計算で求めることができる。
【００２９】
【数２】
2004053486.tif 000004
【００３０】
上式（１）において、ＶＰＤはガス絶縁開閉装置内部の電磁波の伝搬速度である。
【００３１】
以上により、あるしきい値を超えた部分放電信号のパルス数をカウントし、パルスカウント器１３が選択した部分放電の発生位置に近い２つの検出器の部分放電信号波形を取り込むことにより、複数の検出器の個数に関係なく、２つのチャンネルを有する波形集録装置を１つ使用することで絶縁開閉機器内部での部分放電発生位置の標定が可能であるので、装置構成が簡単でかつ測定時間が短い部分放電検出装置を提供できる。
【００３２】
この例では検出器が４つの場合を示したが、検出器が３つ以上ある場合であれば実現可能である。
【００３３】
そして、この実施の形態１では、ガス絶縁容器１により外被が構成されるガス絶縁開閉装置に適用する場合について述べたが、筒状のガス絶縁容器１により外被が構成され、その外被内部に中心導体２等の機器要素が収納される電気機器でれば、他の電気機器にも適用することもできる。
【００３４】
この発明による実施の形態１によれば、絶縁ガスを充填し絶縁スペーサ３，４，５，６によって仕切られたガス絶縁容器１からなる筒状容器と、前記筒状容器に収容され筒状容器の軸方向に延在する中心導体２からなる課電部を有する機器要素と、前記絶縁スペーサ３，４，５，６の近傍に設けられ前記中心導体２からなる課電部における部分放電信号波形を検出する少なくとも３個の検出器９，１０，１１，１２とを備え、前記検出器９，１０，１１，１２の出力信号波形に応じて絶縁ガスを充填し絶縁スペーサによって仕切られたガス絶縁容器１からなる筒状容器に収容され前記ガス絶縁容器１からなる筒状容器の軸方向に延在する中心導体２からなる機器要素を備えた電気機器における部分放電の発生位置を標定するものにおいて、前記少なくとも３個の検出器のうち前記部分放電の発生個所に近い２個の検出器、例えば検出器１０，１１の出力信号を前記部分放電の発生により前記検出器に生成される部分放電パルス数に応じて選択的に導出するパルスカウント器１３および信号切替器１４からなる選択手段を設け、前記選択手段により導出された２個の検出器、例えば検出器１０，１１の出力信号波形を用いて前記部分放電の発生位置を標定するようにしたので、必要最小限に選定された部分放電信号波形を処理する簡潔な制御により、絶縁ガスを充填し絶縁スペーサによって仕切られた筒状容器に収容され前記筒状容器の軸方向に延在する機器要素を備えた電気機器における部分放電の位置標定を的確に行える部分放電検出装置を得ることができる。
【００３５】
また、この発明による実施の形態１によれば、絶縁ガスを充填し絶縁スペーサ３，４，５，６によって仕切られたガス絶縁容器１からなる筒状容器と、前記筒状容器に収容され筒状容器の軸方向に延在する中心導体２からなる課電部を有する機器要素とを備えた電気機器について、前記絶縁スペーサ３，４，５，６の近傍に設定され前記課電部における部分放電信号波形を検出する少なくとも３個の検出点における部分放電信号波形に応じて前記部分放電の発生位置を標定するにあたり、前記少なくとも３個所の検出点のうち前記部分放電の発生個所に近い２個所の検出点、例えば検出器１０，１１が設けられた検出点における部分放電信号波形を前記部分放電の発生により前記検出点に生成される部分放電パルス数に応じて選択的に導出し、導出された２個所の検出点における部分放電信号波形を用いて前記部分放電の発生位置を標定するようにしたので、必要最小限に選定された部分放電信号波形を処理する簡潔な動作により、絶縁ガスを充填し絶縁スペーサによって仕切られた筒状容器に収容され前記筒状容器の軸方向に延在する機器要素を備えた電気機器における部分放電の位置標定を的確に行える部分放電検出方法を得ることができる。
【００３６】
【発明の効果】
第１の発明によれば、必要限度に選定された部分放電信号波形を処理する簡潔な制御により部分放電の位置標定を的確に行える部分放電検出装置を得ることができる。
【００３７】
第２の発明によれば、必要最小限に選定された部分放電信号波形を処理する簡潔な制御により部分放電の位置標定を的確に行える部分放電検出装置を得ることができる。
【００３８】
第３の発明によれば、検出器に生成される部分放電パルス数に応じ検出器の部分放電信号波形出力を必要限度に選定された部分放電信号波形を処理する簡潔な制御により部分放電の位置標定を的確に行える部分放電検出装置を得ることができる。
【００３９】
第４の発明によれば、検出器に生成される部分放電パルス数に応じ検出器の部分放電信号波形出力を必要最小限に選定された部分放電信号波形を処理する簡潔な制御により部分放電の位置標定を的確に行える部分放電検出装置を得ることができる。
【００４０】
第５の発明によれば、検出器に生成される部分放電パルス数に応じ検出器の部分放電信号波形出力を必要最小限に選定された部分放電信号波形を処理する簡潔な制御により絶縁ガスを充填し絶縁スペーサによって仕切られた筒状容器に収容され前記筒状容器の軸方向に延在する機器要素を備えた電気機器における部分放電の位置標定を的確に行える部分放電検出装置を得ることができる。
【００４１】
第６の発明によれば、必要限度に選定された部分放電信号波形を処理する簡潔な動作により部分放電の位置標定を的確に行える部分放電検出方法を得ることができる。
【００４２】
第７の発明によれば、必要最小限に選定された部分放電信号波形を処理する簡潔な動作により部分放電の位置標定を的確に行える部分放電検出方法を得ることができる。
【００４３】
第８の発明によれば、検出点において生成される部分放電パルス数に応じ検出点からの部分放電信号波形を必要限度に選定された部分放電信号波形を処理する簡潔な動作により部分放電の位置標定を的確に行える部分放電検出方法を得ることができる。
【００４４】
第９の発明によれば、検出点において生成される部分放電パルス数に応じ検出点からの部分放電信号波形を必要最小限に選定された部分放電信号波形を処理する簡潔な動作により部分放電の位置標定を的確に行える部分放電検出方法を得ることができる。
【００４５】
第１０の発明によれば、検出器に生成される部分放電パルス数に応じ検出器の部分放電信号波形出力を必要最小限に選定された部分放電信号波形を処理する簡潔な動作により、絶縁ガスを充填し絶縁スペーサによって仕切られた筒状容器に収容され前記筒状容器の軸方向に延在する機器要素を備えた電気機器における部分放電の位置標定を的確に行える部分放電検出方法を得ることができる。
【図面の簡単な説明】
【図１】この発明による実施の形態における部分放電検出装置の構成を示すブロック図である。
【図２】この発明による実施の形態におけるパルスカウント値の実例を示す波形図である。
【図３】この発明による実施の形態における部分放電信号波形の例を示す波形図である。
【図４】この発明による実施の形態における位置標定動作を示す概念図である。
【図５】従来技術による部分放電検出装置の構成を示すブロック図である。
【図６】従来技術による部分放電信号波形の例を示す波形図である。
【図７】従来技術による位置標定方法の動作を示す概念図である。
【符号の説明】
１　ガス絶縁開閉装置の筒状金属容器、２　ガス絶縁開閉装置の中心導体、３第１のガス絶縁開閉装置の絶縁スペーサ、４　第２のガス絶縁開閉装置の絶縁スペーサ、５　第３のガス絶縁開閉装置の絶縁スペーサ、６　第４のガス絶縁開閉装置の絶縁スペーサ、７　部分放電個所、８ａ，８ｂ　電磁波信号、９　第１の検出器、９ａ　第１の検出器用の同軸ケーブル、９ｂ　第１の検出器で検出された部分放電信号、１０　第２の検出器、１０ａ　第２の検出器用の同軸ケーブル、１０ｂ　第１の検出器で検出された部分放電信号、１１　第３の検出器、１１ａ　第３の検出器用の同軸ケーブル、１１ｂ　第１の検出器で検出された部分放電信号、１２　第４の検出器、１２ａ　第４の検出器用の同軸ケーブル、１２ｂ　第１の検出器で検出された部分放電信号、１３　パルスカウント器、１４　信号切替器、１５　波形集録装置、１６　位置標定装置、１７　信号線、１８　チャンネル切替信号、１９ａ，１９ｂ　同軸ケーブル、２０　トリガ信号、２１信号線、２２　第１の波形集録装置、２３　第２の波形集録装置、２４　トリガリングユニット、２５　位置標定装置、２６，２７，２８，２９，３０　信号線。
【図１】
2004053486.tif 000005
【図２】
2004053486.tif 000006
【図３】
2004053486.tif 000007
【図４】
2004053486.tif 000008
【図５】
2004053486.tif 000009
【図６】
2004053486.tif 000010
【図７】
2004053486.tif 000011